(57)【要約】【課題】本発明の目的は、造影剤の注入量の管理精度を向上することにある。【解決手段】造影剤注入管理装置は、少なくとも１台の造影剤注入機器３５から被検体に注入される造影剤の注入量を繰り返し計測する注入量逐次計算部２４と、注入量から検査開始又は任意時点以後の累積注入量を繰り返し計算する累積注入量計算部２５と、累積注入量を表示する表示部２８とを具備する。【選択図】図１
2006305323.tif 000002
【特許請求の範囲】
【請求項１】
少なくとも１台の造影剤注入機器から被検体に注入される造影剤の注入量を繰り返し計測する計測部と、
前記注入量から検査開始又は任意時点以後の累積注入量を繰り返し計算する累積注入量計算部と、
前記累積注入量を表示する表示部とを具備することを特徴とする造影剤注入管理装置。
【請求項２】
少なくとも１台の造影剤注入機器から被検体に注入される造影剤の注入量を繰り返し計測する計測部と、
前記注入量から検査開始又は任意時点以後の累積注入量を繰り返し計算する累積注入量計算部と、
基準注入量を前記累積注入量が超過したとき、警告メッセージを表示する表示部とを具備することを特徴とする造影剤注入管理装置。
【請求項３】
少なくとも１台の造影剤注入機器から被検体に注入される造影剤の注入量を繰り返し計測する計測部と、
前記注入量から検査開始又は任意時点以後の累積注入量を繰り返し計算する累積注入量計算部と、
基準注入量の所定割合を前記累積注入量が超過したとき、注意喚起メッセージを表示する表示部とを具備することを特徴とする造影剤注入管理装置。
【請求項４】
前記計測部は、前記複数の造影剤注入機器から被検体に注入される造影剤の注入量の合計を計測することを特徴とする請求項１記載の造影剤注入管理装置。
【請求項５】
前記計測部は、造影剤ボトルの重量を計測する重量センサを有することを特徴とする請求項１記載の造影剤注入管理装置。
【請求項６】
前記計測部は、前記造影剤ボトルの重量の変化と前記造影剤の比重とに基づいて前記造影剤の注入量を容積として計算する容積計算部を有することを特徴とする請求項５記載の造影剤注入管理装置。
【請求項７】
前記計測部は、カテーテル又はカテーテルが接続される管を通過する造影剤の量を計測するセンサを有することを特徴とする請求項１記載の造影剤注入管理装置。
【請求項８】
前記累積注入量の基準注入量に対する割合を計算する割合計算部をさらに備えることを特徴とする請求項１記載の造影剤注入管理装置。
【請求項９】
前記表示部は、前記基準注入量に対する前記累積注入量の割合をバーグラフで表示することを特徴とする請求項８記載の造影剤注入管理装置。
【請求項１０】
前記表示部は、前記基準注入量に対する前記累積注入量の割合に応じて前記バーグラフの表示態様を段階的に変化させることを特徴とする請求項９記載の造影剤注入管理装置。
【請求項１１】
前記表示部は、前記基準注入量に対する前記累積注入量の割合を数値で表示することを特徴とする請求項１０記載の造影剤注入管理装置。
【請求項１２】
前記表示部は、前記基準注入量に対して前記累積注入量が超過したときの前記バーグラフの表示態様を、前記基準注入量に対して前記累積注入量が超過していないときの前記バーグラフの表示態様と相違させることを特徴とする請求項９記載の造影剤注入管理装置。
【請求項１３】
前記表示部は、前記基準注入量に対して前記累積注入量が超過する超過量を数値で表示することを特徴とする請求項１２記載の造影剤注入管理装置。
【請求項１４】
前記表示部は、前記基準注入量に対する所定割合を前記累積注入量が超過したときの前記バーグラフの表示態様を、前記基準注入量に対する所定割合を前記累積注入量が超過していないときの前記バーグラフの表示態様と相違させることを特徴とする請求項９記載の造影剤注入管理装置。
【請求項１５】
前記表示部は、前記基準注入量の所定割合を前記累積注入量が超過したとき、注意喚起メッセージを表示することを特徴とする請求項１記載の造影剤注入管理装置。
【請求項１６】
前記表示部は、前記基準注入量を前記累積注入量が超過したとき、警告メッセージを表示することを特徴とする請求項１記載の造影剤注入管理装置。
【請求項１７】
前記被検体の体重に応じて前記基準注入量を発生する基準注入量発生部をさらに備えることを特徴とする請求項９記載の造影剤注入管理装置。
【請求項１８】
前記累積注入量のデータを前記被検体及び検査情報とともに記憶する記憶部をさらに備えることを特徴とする請求項１記載の造影剤注入管理装置。
【請求項１９】
請求項１記載の造影剤注入管理装置を備える画像診断装置。
【請求項２０】
請求項１記載の造影剤注入管理装置を備える造影剤注入装置。
【請求項２１】
少なくとも１台の造影剤注入機器から被検体に注入される造影剤の注入量を繰り返し計測する計測部と、
前記注入量から検査開始又は任意時点以後の累積注入量を繰り返し計算する累積注入量計算部と、
基準注入量の所定割合を前記累積注入量が超過したとき、注意喚起メッセージを表示し、前記基準注入量を前記累積注入量が超過したとき、警告メッセージを表示する表示部とを具備することを特徴とする造影剤注入管理装置。
【請求項２２】
順序付けられた複数の撮影を有する検査ルーチンを記憶する手段と、
前記検査ルーチンの中の各撮影で使用する予定の造影剤注入量を記憶する手段と、
前記複数の撮影各々で使用する予定の造影剤注入量から、前記検査ルーチンで使用する造影剤注入総量を計算する手段と、
前記複数の撮影各々で使用する予定の造影剤注入量と前記計算された造影剤注入総量とを表示する手段と、
操作者の指示に従って前記造影剤量を前記撮影ごとに修正する手段とを具備することを特徴とする画像診断装置。
【請求項２３】
前記造影剤の検査開始後の累積注入量を逐次計算する手段と、
前記累積注入量から前記造影剤注入総量を修正する手段とをさらに備えることを特徴とする請求項２２記載の画像診断装置。
【請求項２４】
前記造影剤注入総量と前記修正した造影剤注入総量とを表示する手段と、前記造影剤注入総量と前記修正した造影剤注入総量との差が所定量を超過したとき、前記造影剤注入総量と前記修正した造影剤注入総量との表示態様を変化させる手段とをさらに備えることを特徴とする請求項２２記載の画像診断装置。
【発明の詳細な説明】
【技術分野】
【０００１】
本発明は、造影剤の注入量を管理する造影剤注入管理装置、それを装備した画像診断装置及び造影剤注入装置に関する。
【背景技術】
【０００２】
アンジオ検査（血管造影検査）、放射線診断装置を用いた治療（Interventional Radiology）では、症例によって多量の造影剤の使用を余技なくされることがある。造影剤の注入量として、検査中に使用した造影剤のボトル量と、造影剤自動注入器（インジェクター）で注入した量とから大よその量が類推されている（特開２００３−１０２７２４号公報参考）。
【発明の開示】
【発明が解決しようとする課題】
【０００３】
本発明の目的は、造影剤の注入量の管理精度を向上することにある。
【課題を解決するための手段】
【０００４】
本発明の第１局面は、少なくとも１台の造影剤注入機器から被検体に注入される造影剤の注入量を繰り返し計測する計測部と、前記注入量から検査開始又は任意時点以後の累積注入量を繰り返し計算する累積注入量計算部と、前記累積注入量を表示する表示部とを具備することを特徴とする造影剤注入管理装置を提供する。
【０００５】
本発明の第２局面は、少なくとも１台の造影剤注入機器から被検体に注入される造影剤の注入量を繰り返し計測する計測部と、前記注入量から検査開始又は任意時点以後の累積注入量を繰り返し計算する累積注入量計算部と、基準注入量を前記累積注入量が超過したとき、警告メッセージを表示する表示部とを具備することを特徴とする造影剤注入管理装置を提供する。
【０００６】
本発明の第３局面は、少なくとも１台の造影剤注入機器から被検体に注入される造影剤の注入量を繰り返し計測する計測部と、前記注入量から検査開始又は任意時点以後の累積注入量を繰り返し計算する累積注入量計算部と、基準注入量の所定割合を前記累積注入量が超過したとき、注意喚起メッセージを表示する表示部とを具備することを特徴とする造影剤注入管理装置を提供する。
【０００７】
本発明の第４局面は、少なくとも１台の造影剤注入機器から被検体に注入される造影剤の注入量を繰り返し計測する計測部と、前記注入量から検査開始又は任意時点以後の累積注入量を繰り返し計算する累積注入量計算部と、基準注入量の所定割合を前記累積注入量が超過したとき、注意喚起メッセージを表示し、前記基準注入量を前記累積注入量が超過したとき、警告メッセージを表示する表示部とを具備することを特徴とする造影剤注入管理装置を提供する。
【０００８】
本発明の第５局面は、順序付けられた複数の撮影を有する検査ルーチンを記憶する手段と、前記検査ルーチンの中の各撮影で使用する予定の造影剤注入量を記憶する手段と、前記複数の撮影各々で使用する予定の造影剤注入量から、前記検査ルーチンで使用する造影剤注入総量を計算する手段と、前記複数の撮影各々で使用する予定の造影剤注入量と前記計算された造影剤注入総量とを表示する手段と、操作者の指示に従って前記造影剤量を前記撮影ごとに修正する手段とを具備することを特徴とする画像診断装置を提供する。
【発明の効果】
【０００９】
本発明によれば、造影剤の注入量の管理精度を向上することができる。
【発明を実施するための最良の形態】
【００１０】
図１は本発明の実施例に係る画像診断装置の構成を示している。本実施例において、画像診断装置として典型的な例としてはＸ線撮影装置であるが、Ｘ線撮影装置に限定されることなく、造影剤を使用する画像診断装置であれば、Ｘ線消化器診断装置、Ｘ線コンピュータ断層撮影装置（Ｘ線ＣＴ）、磁気共鳴イメージング装置（ＭＲＩ）、超音波診断装置などの他のモダリティに適用することができる。ここではＸ線撮影装置として説明する。
【００１１】
Ｘ線撮影装置は、造影剤注入管理装置２０を装備している。なお、造影剤注入管理装置２０は、Ｘ線撮影装置とは分離独立して単体で構成されていてもよい。造影剤注入管理装置２０には、複数系統の造影剤注入装置３５、３６が接続され、造影剤注入管理装置２０の管理下に置かれている。なお、説明の便宜上、造影剤注入装置３５、３６と、造影剤注入管理装置２０とを分離して記載しているが、各造影剤注入装置３５、３６が、造影剤注入管理装置２０を装備していてもよい。
【００１２】
Ｘ線撮影装置のメインＣＰＵ７は装置全体の制御中枢として機能する。検査情報メモリ８は、図示しないオーダリングシステムからオーダされた検査情報を記憶する。検査情報には患者コード、氏名、身長、体重、性別、年齢とともに、検査日時、検査目的、検査部位、造影剤の指定種類等が含まれる。
【００１３】
検査計画部１３は、検査目的および検査部位等に基づいて、順序付けられた複数の撮影ステップを含む検査ルーチンを計画する。例えばＸ線診断装置による冠状動脈検査では、その検査は決められたルーチンに従って進められる。通常、左冠状動脈を６方向から撮影し、右冠状動脈を３方向から撮影し、そして左心室を１方向から撮影して完了する。各撮影は異なる方向から観察することにより、注目する分枝を確認できる。計画された検査ルーチンのデータは検査情報メモリ８に記憶される。検査ルーチンのデータには、各撮影で使用する造影剤の注入量が含まれる。
【００１４】
Ｘ線管球１は、平面状に配列された複数の検出素子を有する平面検出器（フラットパネルデテクタ（ＦＰＤ）ともいう）２とともに図示しない典型的にはＣ形アームに搭載されている。Ｃ形アームは任意に移動及び回転可能に図示しない土台に支持されている。Ｃアーム制御部４は、Ｃ形アームの移動、回転を制御する。Ｘ線管球制御部３は、高電圧発生器を有し、Ｘ線管球１からＸ線を発生させるために、Ｘ線管球１の陰極陽極間に高電圧（管電圧）を印加し、またフィラメントに電流を供給する。平面検出器２では検出器制御部５の制御に従って典型的には電荷蓄積、読み出し、リセット等のサイクル動作を繰り返す。平面検出器２から典型的には電圧変化として読み出された信号はアナログディジタルコンバータ（ＡＤＣ）６でディジタル信号に変換されて画像データとして画像メモリ１０に記憶される。画像データを加工する処理部として例えば造影剤収集前後の画像を同じ角度同士でサブトラクションするサブトラクション部（図示せず）、高周波強調フィルタリングなどを行うフィルタリング部９、画像拡大・移動などを行うアフィン変換部（図示せず）、階調変換を行うルックアップテーブル（Look Up Table）１１がＸ線撮影装置には装備されている。加工された画像データは高精細のディスプレイを有する画像表示部１２に表示される。
【００１５】
上述したように造影剤注入管理装置２０は、複数系統の造影剤注入装置３５、３６を接続可能である。一方の造影剤注入装置３５は、造影剤の注入圧及び注入量の計測機能および注入圧及び注入量を注入制御部２９から高精度で設定できる設定機能を備えたタイプである。なお、以下で、「注入量」とは、注入した造影剤の容量（単位はｃｃ）と定義する。他方の造影剤注入装置３６は、上記計測機能及び設定機能を備えていないタイプであり、典型的には造影剤を収容する造影剤ボトル３７と、それにつながる注射器様の注入器具３８と、図示しないが造影剤ボトル３７を吊り下げる台とを有している。このようなタイプの造影剤注入装置３６であっても、注入量を計測できるように、造影剤注入管理装置２０は、造影剤ボトル３７の重量を検出する例えば圧電素子を有する重量センサ３２を備えている。重量センサ制御部３１は重量センサ３２を介して検査期間中に所定周期で繰り返し造影剤ボトル３７の重量を計測するとともに、前回計測時からの重量変化を計算する。
【００１６】
なお、上記では造影剤注入装置（インジェクタ）３５の計測機能と造影剤ボトル３７の重量センサ３２によって造影剤注入量を検出しているが、それに限定されず、例えばカテーテル内部、もしくはその直前のチューブに流量計を設け、この流量計の流量値をモニターすることで造影剤注入量として計測しても良い。
【００１７】
造影剤注入管理装置２０は、上記注入制御部２９、重量センサ制御部３１、重量センサ３２とともに、装置２０の全体を制御するための造影剤注入管理制御部２１、複数種類の造影剤各々に固有の比重データを予め記憶する造影剤比重データ記憶部２２、被検体の体格に応じた基準注入量を発生するための基準注入量記憶部２３を有する。基準注入量とは、検査対象の被検体に対してある程度の安全性を確保した上で注入することが許容され得る造影剤の一検査あたりの注入量の上限、換言すると一検査期間内に被検体に注入する造影剤の推奨使用制限量をいい、多くの場合、特定の機関又は造影剤提供会社が定めている。基準注入量は被検体の体格として体重に応じて、例えば１ｋｇあたり５ｃｃの割合で基準注入量が定められている。基準注入量記憶部２３には、複数の基準注入量が複数の体格（体重）にそれぞれ関連付けられて記憶されている。
【００１８】
さらに、造影剤注入管理装置２０は、造影剤注入量逐次計算部２４、造影剤注入量累積計算部２５、注入量比較部３３、操作部３４、表示制御部２７、造影剤情報ディスプレイ２８、注入量データ記憶部２６を有している。造影剤注入量逐次計算部２４は、重量センサ制御部３１で周期的に計算した造影剤ボトル３７の重量変化と使用造影剤に固有の比重とから、造影剤注入装置３６からの注入量（注入容量）を計算するとともに、その注入量に、注入制御部２９から取得した造影剤注入装置３５からの注入量を加えることにより、１系統又は複数系統の注入装置３５，３６からの被検体への合計の注入量の増分を繰り返し計算する。造影剤注入量累積計算部２５は、造影剤注入量逐次計算部２４で計算した注入量の増分を、検査開始時点から累積することにより、検査開始時点から現時点までに被検体に注入した造影剤の総量としての累積注入量を繰り返し計算する。
【００１９】
注入量比較部３３は、造影剤注入量累積計算部２５で計算した累積注入量を、基準注入量記憶部２３から取得した基準注入量から引き算することにより、基準注入量に達するまでに注入できる造影剤の実際の残りの注入量を表す注入可能量を計算する。また、注入量比較部３３は、造影剤注入量累積計算部２５で計算した累積注入量を、基準注入量記憶部２３から取得した基準注入量と比較して、基準注入量に対する累積注入量の割合を単位％で繰り返し計算する。累積注入量をＶａ、基準注入量をＶｔｈとすると、割合Ｐ（％）は、次の通り計算される。  
Ｐ＝（Ｖａ／Ｖｔｈ）×１００
表示制御部２７は、注入量比較部３３で計算された基準注入量に対する累積注入量の割合Ｐを含む注入量管理情報画面を構築し、ディスプレイ２８に表示するために設けられている。注入量管理情報画面の詳細は後述するが、簡易には、基準注入量と累積注入量と注入可能量とが数値で表示され、さらに基準注入量に対する累積注入量の割合Ｐが数値で、またバーグラフで表示される。
【００２０】
このバーグラフの表示態様は、基準注入量に対する累積注入量の割合Ｐに応じて段階的に変化される。
【００２１】
例えば、基準注入量に対する所定割合、例えば基準注入量の８０％の量を累積注入量が超過したとき、予備的な注意喚起のために、バーグラフを例えば黄色で表示する（図４参照）。また、割合Ｐが８０％を超えたときには、注入量管理情報画面には、基準注入量の８０％の量を累積注入量が超過したことを注意喚起するための注意喚起メッセージが表示される（図４参照）。
【００２２】
なお、累積注入量が基準注入量の８０％の量以下であるとき、バーグラフは例えば青色で表示される（図３参照）。
【００２３】
また、基準注入量に対して累積注入量が超過したとき、つまり割合Ｐが１００％を超えたとき、警告のために、バーグラフが例えば赤色で表示される（図５参照）。また、割合Ｐが１００％を超えたときには、注入量管理情報画面には、基準注入量に対して累積注入量が超過する超過量が数値で表示される。さらに、割合Ｐが１００％を超えたときには、注入量管理情報画面には、基準注入量に対して累積注入量が超過したことを警告するための警告メッセージが表示される（図５参照）。
【００２４】
このバーグラフの表示態様を変化させるための基準注入量に対する割合は、操作者により任意に変更可能である。注入量データ記憶部２６は、検査終了時点で累積注入量のデータを被検体情報及び検査情報とともに記憶する。
【００２５】
次に本実施例による造影剤注入量管理動作について説明する。  
実際に検査を開始するに先立って、検査計画部１３で計画された検査ルーチンデータが、検査情報メモリ８から注入計画部３９に供給される。検査ルーチンデータには、複数の撮影ステップの手順と、各撮影ステップで使用する造影剤量とが含まれる。注入計画部３９は、当該検査ルーチンに含まれる複数の撮影で使用する造影剤量の総和を、当該検査ルーチンで使用される予想累積注入量Ｖｅとして計算する。注入計画部３９は、予想累積注入量Ｖｅを、基準注入量記憶部２３から提供された基準注入量と比較する。予想累積注入量Ｖｅが基準注入量を超過していたとき、注入計画部３９は、予想累積注入量Ｖｅが基準注入量を超過していることを警告するメッセージを表示部１２に表示させる。警告メッセージとともに、検査ルーチンのフローと、各撮影ステップで使用する造影剤量とが表示される。操作部３４の操作により、予想累積注入量Ｖｅが基準注入量を超過しないように、各撮影ステップで使用する造影剤量（注入スピード又は注入時間）が、任意に変更される。検査開始後においては、注入計画部３９は、注入量累積計算部２５で計算される現時点の累積注入量Ｖaと、検査ルーチンの各撮影ステップの予定注入量から予想され得る現時点の予測累積注入量Ｖa’との差（Ｖa−Ｖa’）の値又はその絶対値を計算する。現時点の予測累積注入量Ｖa’と、差（Ｖa−Ｖa’）とはディスプレイ２８に数値で表示される。差（Ｖa−Ｖa’）が大きいことは、予定よりも造影剤の注入量が多い、つまり注入スピードが速いことを表している。差（Ｖa−Ｖa’）が所定値を超過したとき、実際の造影剤注入量が予定量よりも多いことを表すメッセージがディスプレイ２８に表示され、それとともに現時点の予測累積注入量Ｖa’と、差（Ｖa−Ｖa’）の表示態様が、例えば赤色に変わったり、点滅表示に変化する。差（Ｖa−Ｖa’）と比較される所定値は、例えば基準注入量Ｖthの任意割合、例えば１０％に設定される。この割合はユーザ及びメーカサイドで任意に設定及び修正可能である。また注入計画部３９は、実際の造影剤注入量と予定量との差（Ｖa−Ｖa’）から、検査終了時点の予想累積注入量Ｖeを（Ｖe＋（Ｖa−Ｖa’））により修正する。修正した予想累積注入量Ｖeは、ディスプレイ２８に数値で表示される。修正した予想累積注入量Ｖeが基準注入量Ｖthを超過したとき、予想累積注入量Ｖeの表示態様が、例えば赤色に変わったり、点滅表示に変化する。
【００２６】
図２は本実施例による造影剤注入量管理動作の手順を示している。なお、ここでは説明の便宜上、造影剤ボトル３７の注入装置３６から単独で被検体に造影剤を注入するものとする。検査開始に先だって、造影剤注入管理制御部２１は、検査情報の患者体重に対応する基準注入量のデータを基準注入量記憶部２３から取得する（Ｓ１１）。基準注入量のデータは、注入量比較部３３と表示制御部２７に供給される。また、造影剤注入管理制御部２１は、今回の検査対象の被検体に関する前回検査の累積注入量のデータを注入量データ記憶部２６から取得する（Ｓ１２）。前回検査の累積注入量のデータは、表示制御部２７に供給される。その他に表示制御部２７には、検査情報メモリ８から検査情報内の患者情報の氏名、年齢、性別、身長、体重のデータ、さらに累積計算部２５から累積注入量のデータ、注入量比較部３３から基準注入量に対する累積注入量の割合Ｐのデータが造影剤注入管理制御部２１の制御により表示制御部２７に供給される。
【００２７】
表示制御部２７は、供給されたデータから図３に例示する造影剤注入量管理画面データを構築し、それを造影剤情報表示専用に設けられたディスプレイ２８に表示させる（Ｓ１３）。造影剤注入量管理画面には、氏名、年齢、性別、身長、体重、造影剤注入開始時刻、前回検査の注入総量、基準注入量、累積注入量が文字／数値情報として含まれる。また、造影剤注入量管理画面には、基準注入量に対する累積注入量の割合Ｐに基づいて表示制御部２７で生成されたバーグラフが含まれる。基準注入量に対応する矩形図形の中の当該割合Ｐに対応する面積部分が表示態様としてここでは色により区別されている。造影剤注入開始以前の段階では、割合Ｐはゼロであるので、色分けされる部分はない。
【００２８】
造影剤注入が開始後、重量センサ制御部３１は、重量センサ３２を介して造影剤ボトル３７の重量の計測を開始する。重量計測は、所定周期で繰り返され、重量センサ制御部３１から造影剤ボトル３７の重量データが繰り返し出される。造影剤ボトル３７の重量データは重量センサ制御部３１から造影剤注入量逐次計算部２４に供給される。造影剤注入量逐次計算部２４は、前回計測された重量と今回計測された重量との差分をとり、その差分がゼロでないとき（Ｓ１４）、重量変化があったもの、つまり前回計測時点から今回計測時点までの間に造影剤を注入したものと判断して、検査情報の造影剤種類により比重データ記憶部２２から選択的に取得した使用造影剤に対応する比重と重量変化とから注入量（容積）Ｖsを計算する（Ｓ１５）。累積計算部２５は、検査開始時点からの注入量Ｖsを累積することにより、累積注入量Ｖaを計算する（Ｓ１６）。
【００２９】
なお、造影剤ボトル３７の交換時はボトル３７を外すことにより急激に重量が変化する。これは一定時間以内に一定量、例えば１０秒以内に５０ｃｃ以上の急激な変化が特徴的である。その急激な変化を計算部２４または２５は検出し、ボトル３７を交換したと判断し、造影剤注入量とは見なさない。逐次計算部２４は、次に重量が増えた時点で重量値をリセットし、そこから再度減った重量をモニタする。もちろん累積計算部２５は、ボトル３７を交換したときであっても、累積注入量をリセットすることなく、継続的に累積注入量を用いる。
【００３０】
注入量比較部３３は、累積注入量Ｖaを基準注入量Ｖthに比較する（Ｓ１７）。実際的には、注入量比較部３３は、基準注入量Ｖthに対する累積注入量Ｖaの割合Ｐを計算する。また、注入量比較部３３は、累積注入量Ｖaを、基準注入量Ｖthから引き算することにより、基準注入量Ｖthに達するまでに注入できる注入可能量を計算する。基準注入量Ｖthに対する累積注入量Ｖaの比較結果（割合Ｐ）のデータは、注入可能量及び累積注入量Ｖaのデータとともに、表示制御部２７に供給される。表示制御部２７は、基準注入量Ｖthに対する累積注入量Ｖaの比較結果に応じた画面を構成する（Ｓ１８，Ｓ１９，Ｓ２０）。
【００３１】
注入量管理情報画面の表示態様は、累積注入量が増加するに従って、  
１）累積注入量Ｖaが基準注入量Ｖthの８０％以下であるとき（Ｐ≦０．８）、  
２）累積注入量Ｖaが基準注入量Ｖthの８０％を超過し、かつ累積注入量Ｖaが基準注入量Ｖth以下であるとき（０．８＜Ｐ≦１）、  
３）累積注入量Ｖaが基準注入量Ｖthを超過しているとき（１＜Ｐ）、  
の３パターンが用意されている。
【００３２】
パターン１）は、通常画面に対応する（Ｓ１８）。パターン２）は、注意喚起画面に対応する（Ｓ１９）。パターン３）は、警告画面に対応する（Ｓ２０）。
【００３３】
図３には、上記１）のパターンの通常画面の例を示している。上述したように、造影剤注入量管理画面には、氏名、年齢、性別、身長、体重、造影剤注入開始時刻、前回検査の注入総量、基準注入量、累積注入量が文字／数値情報として含まれ、また、基準注入量に対する累積注入量の割合Ｐがバーグラフで表示される。バーグラフの全域の中の当該割合Ｐに応じた面積部分が色分けされているので、現在の注入量の状態を視覚的に把握しやすい。具体的には、バーグラフが「白色」を基本色としてその上に当該割合Ｐに応じた面積部分が「青色」で表現される。
【００３４】
図４には、上記２）のパターンの注意喚起画面を示している。基準注入量Ｖthに対する累積注入量Ｖaの割合Ｐが基準注入量の８０％の量を超えたとき、バーグラフの面積部分の色が「青色」から、「黄色」に変化する。また、割合Ｐが８０％を超えたときには、注入量管理情報画面には、基準注入量の８０％の量を累積注入量が超過したことを注意喚起するための注意喚起メッセージが表示される。それにより造影剤の注入量が基準注入量に接近していることを注意喚起される。
【００３５】
図５には、上記３）のパターンの画面を示している。累積注入量Ｖaが基準注入量Ｖthを超えたとき、バーグラフでは、累積注入量Ｖaに対応する面積部分が、基準注入量Ｖthに対応する部分より割合Ｐに応じて拡大される。バーグラフの面積部分の色が今度は「黄色」から、「赤色」に変化するとともに、当該赤の面積部分が明滅する。また注入量比較部３３で計算された超過注入量が数値表示される。超過注入量は累積注入量Ｖaが基準注入量Ｖthを超過した量である。
【００３６】
さらに基準注入量に対して累積注入量が超過したとき、基準注入量に対して累積注入量が超過したことを警告するための警告メッセージが表示される。以上の表示態様の変化により造影剤の注入量が基準注入量を超過していることについて強く注意喚起され得る。
【００３７】
なお、本実施例では、累積注入量が基準注入量に達しても、造影剤注入を緊急停止する措置を講ずることなく又はその緊急停止を促すメッセージを表示することもない。造影剤の注入量が基準注入量を超過していることについて強く注意喚起するに止まっている。それは基準注入量が生体への限界量（安全上の上限値）より低い値に設定されていることを理由とする。それにより必要な造影検査が完了する前に、造影剤注入量が限界に達して中断してしまう事態を可能な限り回避することができる。
【００３８】
上記Ｓ１４からＳ２０までの一連の処理は、検査終了（Ｓ２１）まで例えば０．１秒程度の極短い所定周期で繰り返される。撮影技師は造影剤注入の量、および注入割合の現状をほぼ即時的に把握して、検査終了までの造影剤注入計画をある程度考えながら検査を進めることができる。
【００３９】
検査終了後、最終的な累積注入量は、今回の検査の注入量総和として確定し、注入量データ部２６に被検体情報及び検査情報とともに記憶される（Ｓ２０）。
【００４０】
以上のように本実施例によれば、造影剤の注入量の管理精度を向上することができ、計画的に造影剤を注入することができる。それは無駄な不必要な造影剤の注入を減らし、さらに造影剤注入過多で検査が中断されるという事態を回避することができる。
【００４１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４２】
【図１】図１は本発明の実施例によるＸ線撮影装置の構成を示す図である。
【図２】図２は本実施例による造影剤注入量管理動作の手順を示す流れ図である。
【図３】図３は本実施例による通常時の造影剤注入量管理画面の一例を示す図である。
【図４】図４は本実施例による累積注入量が基準注入量の８０％を超過した時の造影剤注入量管理画面の一例を示す図である。
【図５】図５は本実施例による累積注入量が基準注入量を超過した時の造影剤注入量管理画面の一例を示す図である。
【符号の説明】
【００４３】
１…Ｘ線管球、２…平面検出器（ＦＰＤ）、３…Ｘ線管球制御部、４…Ｃアーム制御部、、５…検出器制御部、６…アナログディジタルコンバータ（ＡＤＣ）、７…メインＣＰＵ、８…検査情報メモリ、９…フィルタリング部、１０…画像メモリ、１１…ルックアップテーブル、１２…画像表示部、１３…検査計画部、２０…造影剤注入管理装置、２１…造影剤注入管理制御部、２２…造影剤比重データ記憶部、２３…基準注入量記憶部、３１…重量センサ制御部、３２…重量センサ、２９…注入制御部、３５…造影剤注入装置、３７…造影剤ボトル、３８…注入器具。
【図１】
2006305323.tif 000003
【図２】
2006305323.tif 000004
【図３】
2006305323.tif 000005
【図４】
2006305323.tif 000006
【図５】
2006305323.tif 000007